(57)【要約】【課題】使い勝手が良好な菓子用トレイを提供する。【解決手段】菓子用トレイであるケーキ用台紙１は、ケーキ２を載置する矩形状の底板３を備える。底板３の一方側長辺には第１側板４を設ける。底板３の他方側長辺には第２側板６を設ける。第１側板４には、底板３上のケーキ２を第１数に等分割するための複数の第１カット用目印11を印刷により設ける。第２側板６には、底板３上のケーキ２を第１数とは異なる第２数に等分割するための複数の第２カット用目印12を印刷により設ける。【選択図】図１
0003164820.tif 000002
【実用新案登録請求の範囲】
【請求項１】
菓子が載置される矩形状の底板と、
この底板の一方側長辺に折り曲げ可能に設けられた第１側板と、
この第１側板に設けられ、互いに等間隔をおいて位置し、前記底板上の菓子を第１数に等分割するための複数の第１カット用目印と、
前記底板の他方側長辺に折り曲げ可能に設けられた第２側板と、
この第２側板に設けられ、互いに等間隔をおいて位置し、前記底板上の菓子を前記第１数とは異なる第２数に等分割するための複数の第２カット用目印と
を備えることを特徴とする菓子用トレイ。
【請求項２】
複数の第１カット用目印は、底板の一方側部分に延長して設けられ、
複数の第２カット用目印は、前記底板の他方側部分に延長して設けられている
ことを特徴とする請求項１記載の菓子用トレイ。
【請求項３】
第１側板に設けられ、第１数を表示する第１数表示と、
第２側板に設けられ、第２数を表示する第２数表示とを備える
ことを特徴とする請求項１または２記載の菓子用トレイ。
【請求項４】
各第１カット用目印に対応して設けられた第１カット数表示と、
各第２カット用目印に対応して設けられた第２カット数表示とを備え、
前記第１カット数表示は、底板の長辺方向一端側から長辺方向他端側に向かう方向に「０」から第１数まで１ずつ増加し、
前記第２カット数表示は、前記底板の長辺方向他端側から長辺方向一端側に向かう方向に「０」から第２数まで１ずつ増加している
ことを特徴とする請求項１または２記載の菓子用トレイ。
【請求項５】
底板の片側の短辺のみに折り曲げ可能に設けられた端板を備える
ことを特徴とする請求項１ないし４のいずれか一記載の菓子用トレイ。
【請求項６】
菓子であるケーキが載置されるケーキ用台紙である
ことを特徴とする請求項１ないし５のいずれか一記載の菓子用トレイ。
【考案の詳細な説明】
【技術分野】
【０００１】
本考案は、例えばケーキ等の菓子を載置する菓子用トレイに関する。
【背景技術】
【０００２】
従来、例えば特許文献１に記載された包装トレー材である菓子用トレイが知られている。
【０００３】
この従来の菓子用トレイは、ロールケーキ等の菓子が載置される矩形状の底板と、この底板の両長辺に折り曲げ可能に設けられた側板と、この各側板に設けられ互いに等間隔をおいて位置し底板上の菓子を等分割（小分け）するための複数のカット用目印とを備えている。
【先行技術文献】
【特許文献】
【０００４】
【特許文献１】特開２００１−１８０６５２号公報（図１）
【考案の概要】
【考案が解決しようとする課題】
【０００５】
しかしながら、上記従来の菓子用トレイでは、確かに、カット用目印を目安にして包丁等の刃物で菓子を等分割することができるが、隣り合うカット用目印間の距離が１種類であるため、例えば分けようとする所望の人数分に対応し難く、使い勝手が悪いという問題がある。
【０００６】
本考案は、このような点に鑑みなされたもので、使い勝手が良好な菓子用トレイを提供することを目的とする。
【課題を解決するための手段】
【０００７】
請求項１記載の菓子用トレイは、菓子が載置される矩形状の底板と、この底板の一方側長辺に折り曲げ可能に設けられた第１側板と、この第１側板に設けられ、互いに等間隔をおいて位置し、前記底板上の菓子を第１数に等分割するための複数の第１カット用目印と、前記底板の他方側長辺に折り曲げ可能に設けられた第２側板と、この第２側板に設けられ、互いに等間隔をおいて位置し、前記底板上の菓子を前記第１数とは異なる第２数に等分割するための複数の第２カット用目印とを備えるものである。
【０００８】
請求項２記載の菓子用トレイは、請求項１記載の菓子用トレイにおいて、複数の第１カット用目印は、底板の一方側部分に延長して設けられ、複数の第２カット用目印は、前記底板の他方側部分に延長して設けられているものである。
【０００９】
請求項３記載の菓子用トレイは、請求項１または２記載の菓子用トレイにおいて、第１側板に設けられ、第１数を表示する第１数表示と、第２側板に設けられ、第２数を表示する第２数表示とを備えるものである。
【００１０】
請求項４記載の菓子用トレイは、請求項１または２記載の菓子用トレイにおいて、各第１カット用目印に対応して設けられた第１カット数表示と、各第２カット用目印に対応して設けられた第２カット数表示とを備え、前記第１カット数表示は、底板の長辺方向一端側から長辺方向他端側に向かう方向に「０」から第１数まで１ずつ増加し、前記第２カット数表示は、前記底板の長辺方向他端側から長辺方向一端側に向かう方向に「０」から第２数まで１ずつ増加しているものである。
【００１１】
請求項５記載の菓子用トレイは、請求項１ないし４のいずれか一記載の菓子用トレイにおいて、底板の片側の短辺のみに折り曲げ可能に設けられた端板を備えるものである。
【００１２】
請求項６記載の菓子用トレイは、請求項１ないし５のいずれか一記載の菓子用トレイにおいて、菓子であるケーキが載置されるケーキ用台紙であるものである。
【考案の効果】
【００１３】
請求項１に係る考案によれば、底板上の菓子を第１数に等分割するための複数の第１カット用目印と、底板上の菓子を第１数とは異なる第２数に等分割するための複数の第２カット用目印とを備えるため、例えば分けようとする所望の人数分に対応し易く、使い勝手が良好である。
【００１４】
請求項２に係る考案によれば、第１カット用目印が底板の一方側部分に延長して設けられかつ第２カット用目印が底板の他方側部分に延長して設けられているため、第１カット用目印が第１側板のみに設けられかつ第２カット用目印が第２側板のみに設けられた構成に比べて、第１カット用目印および第２カット用目印が見易く、使い勝手がより良好である。
【００１５】
請求項３に係る考案によれば、第１側板に設けられ第１数を表示する第１数表示と、第２側板に設けられ第２数を表示する第２数表示とを備えるため、第１数および第２数を理解し易く、使い勝手がより良好である。
【００１６】
請求項４に係る考案によれば、目安にする側の第１カット数表示または第２カット数表示が見易く、カット数を確認しながらカッティングでき、使い勝手がより良好である。
【００１７】
請求項５に係る考案によれば、底板の片側の短辺のみに折り曲げ可能に設けられた端板を備えるため、例えば収納箱内から菓子を引き出す場合等に、端板を利用することによって収納箱内から菓子を菓子用トレイとともに容易に引き出すことができ、使い勝手がより良好である。
【００１８】
請求項６に係る考案によれば、例えばケーキ用台紙の底板上に載置されたケーキを所望の人数分に分けようとする際に、その分けようとする所望の人数分に対応し易く、使い勝手が良好である。
【図面の簡単な説明】
【００１９】
【図１】本考案の一実施の形態に係る菓子用トレイ（ケーキ用台紙）の平面図である。
【図２】同上菓子用トレイの使用状態を示す斜視図である。
【図３】同上菓子用トレイの使用状態を示す平面図である。
【図４】本考案の他の実施の形態に係る菓子用トレイ（ケーキ用台紙）の平面図である。
【図５】（ａ）および（ｂ）は同上菓子用トレイの使用状態を示す平面図である。
【考案を実施するための形態】
【００２０】
本考案の一実施の形態を図面を参照して説明する。
【００２１】
図１ないし図３において、１は紙製の菓子用トレイであるケーキ用台紙で、このケーキ用台紙１上には、長手状の菓子であるケーキ２、すなわち例えば円柱状のロールケーキが載置される。
【００２２】
ケーキ用台紙１は、例えばケーキ２が容易に付着しないように表面加工等が施された薄い１枚状の紙素材によって一体に構成されている。
【００２３】
ケーキ用台紙１は、図１に示されるように、上面上にケーキ２が載置される前後方向長手状で矩形状の底板３を備えている。
【００２４】
そして、底板３の一方側長辺である左側長辺には、細長い前後方向長手状で矩形状の第１側板４が折れ線５を介して折り曲げ可能に連設されている。底板３の他方側長辺である右側長辺には、細長い前後方向長手状で矩形状の第２側板６が折れ線７を介して折り曲げ可能に連設されている。底板３の片側の短辺である前側短辺のみに、左右方向長手状で矩形状の端板８が折れ線９を介して折り曲げ可能に連設されている。
【００２５】
また、ケーキ用台紙１は、第１側板４および底板３の一方側部分である左側部分に印刷により設けられ互いに等間隔をおいて底板３の長辺方向に並んで位置し底板３上のケーキ２を第１数（例えば「８」）に等分割するための複数の第１カット用目印11と、第２側板６および底板３の他方側部分である右側部分に印刷により設けられ互いに等間隔をおいて底板３の長辺方向に並んで位置し底板３上のケーキ２を第１数とは異なる第２数（例えば「６」）に等分割するための複数の第２カット用目印12と、第１側板４の前端部に印刷により設けられ第１数（例えば「８」）を表示する第１数表示13と、第２側板６の前端部に印刷により設けられ第２数（例えば「６」）を表示する第２数表示14とを備えている。
【００２６】
複数の第１カット用目印（例えば８カット用目印）11は、第１側板４だけでなく、底板３の左側部分にも延長して設けられている。複数の第２カット用目印（例えば６カット用目印）12は、第２側板６だけでなく底板３の右側部分にも延長して設けられている。
【００２７】
なお、隣り合う第１カット用目印11間の距離Ａと隣り合う第２カット用目印12間の距離Ｂとは、同じではなく、距離Ａが距離Ｂよりも短くなっている。例えば距離Ａが２ｃｍで、距離Ｂが３ｃｍである。つまり、第１カット用目印11の数と第２カット用目印12の数とが異なる。
【００２８】
ここで、各第１カット用目印11は、例えば折れ線５に対して直交するように第１側板４の表面および底板３の左側部分表面にわたって位置する左右方向直線状の線表示11aと、この線表示11aの外端に位置する点表示11bとにて構成されている。各第２カット用目印12は、例えば折れ線７に対して直交するように第２側板６の表面および底板３の右側部分表面にわたって位置する左右方向直線状の線表示12aと、この線表示12aの外端に位置する点表示12bとにて構成されている。
【００２９】
また、第１側板４の表面（内面）には、「０」から「８」（第１数）までの９つの第１カット数表示（数字群表示）16が各第１カット用目印11に対応して印刷により設けられている。これら複数の第１カット数表示16は、底板３の長辺方向一端側（後端側）から長辺方向他端側（前端側）に向かう方向に「０」から第１数である「８」まで１ずつ増加している。なお、第１カット数表示16のうちの１つである第１数表示13は、それ以外の他の第１カット数表示16よりも大きな太字で表示されている。
【００３０】
さらに、第２側板６の表面（内面）には、「０」から「６」（第２数）までの７つの第２カット数表示（数字群表示）17が各第２カット用目印12に対応して印刷により設けられている。これら複数の第２カット数表示17は、第１カット数表示16と同様、底板３の長辺方向一端側（後端側）から長辺方向他端側（前端側）に向かう方向に「０」から第２数である「６」まで１ずつ増加している。なお、第２カット数表示17のうちの１つである第２数表示14は、それ以外の他の第２カット数表示17よりも大きな太字で表示されている。
【００３１】
なお、第１側板４、第２側板６および端板８のそれぞれの短手方向長さ寸法（幅寸法）は、略同じであって、例えば底板３の短手方向長さ寸法（幅寸法）の略４分の１である。第１側板４、第２側板６および端板８の外側の隅部は、円弧状に形成されている。
【００３２】
次に、ケーキ用台紙１の使用方法等について説明する。
【００３３】
ケーキ２を購入した購入者に対し、店員は、図２に示すように、ケーキ用台紙１の底板３上に載置されたケーキ２を、ケーキ用台紙１とともに収納箱21内に収納して渡す。なお、底板３の短辺に端板８が設けられているため、例えば店員は、その端板８を利用することにより、冷蔵ショーケース内でケーキをケーキ用台紙１とともに移動させることが容易であり、ケーキを冷蔵ショーケース内から容易に取り出すことができる。
【００３４】
この収納箱21は、ケーキ用台紙１に対応する形状のもので、出し入れ口部22を有する箱本体23と、この箱本体23に折り曲げ可能に設けられ出し入れ口部22を開閉する蓋体24とを備えている。
【００３５】
この収納箱21内に、ケーキ２を載せたケーキ用台紙１をケーキ２とともに収納する際には、左右両側の側板４，６を底板３に対してそれぞれ折れ線５，７に沿って上方に折り曲げる。
【００３６】
そして、例えば家に帰った購入者が家族とともにケーキ２を食べる場合には、蓋体24を開状態にして出し入れ口部22を開口させてから、ケーキ用台紙１の端板８を摘んで、ケーキ２をケーキ用台紙１とともに収納箱21内から引き出す。
【００３７】
続いて、図３に示すように、側板４，６を底板３と同一面上に位置する水平な展開状態に戻してから、包丁等の刃物26を用いて、例えば第２カット用目印12を目安に、第２カット数表示17でカット数を確認しながら、底板３上のケーキ２を家族の人数分である例えば６等分に等分割する。つまり、刃物26の刃部27を第２カット用目印12の線表示12aに当てるようにしてケーキ２のカッティングを行い、ケーキ２を均等に６つに分割する。
【００３８】
なお、例えば第２カット用目印12を目安にして３等分に等分割でき、また、第１カット用目印11を目安にすれば、８等分や４等分にも等分割できる。
【００３９】
このように、ケーキ用台紙１によれば、底板３上のケーキ２を第１数に等分割するための複数の第１カット用目印11と、底板３上のケーキ２を第１数とは異なる第２数に等分割するための複数の第２カット用目印12とを左右両側に備えるため、底板３上に載置されたケーキ２のカッティングの際に、第１カット用目印11および第２カット用目印12のいずれかを選択して目安にでき、よって、例えば分けようとする家族の人数分等の所望の人数分に対応し易く、使い勝手が良好である。
【００４０】
また、第１カット用目印11が底板３の一方側部分に延長して設けられかつ第２カット用目印12が底板３の他方側部分に延長して設けられているため、第１カット用目印11が第１側板４のみに設けられかつ第２カット用目印12が第２側板６のみに設けられた構成に比べて、第１カット用目印11および第２カット用目印12が見易く、使い勝手がより良好である。
【００４１】
特に、ケーキ２がロールケーキの場合には、底板３に設けられたカット用目印11，12がケーキ２で覆い隠されてしまうことがなく、カット用目印11，12を目安にロールケーキを適切に等分割できる。
【００４２】
さらに、第１側板４に設けられ第１数を表示する第１数表示13と、第２側板６に設けられ第２数を表示する第２数表示14とを備えるため、第１数および第２数を理解し易く、カット数である等分割数を間違え難く、使い勝手がより良好である。
【００４３】
また、底板３の片側の短辺のみに折り曲げ可能に設けられた端板８を備えるため、例えば収納箱21内からケーキ２をそれが載ったケーキ用台紙１とともに引き出す場合等に、端板８を利用することによって収納箱21内からケーキ２をケーキ用台紙１とともに容易に引き出すことができ、使い勝手がより良好である。
【００４４】
なお、上記一実施の形態では、第１数表示13が第１側板４の前端部に設けられるとともに第２数表示14が第２側板６の前端部に設けられ、これら数表示13，14を含むカット数表示16，17の向きが底板３の長辺方向に一致した構成について説明したが、例えば図４および図５に示す他の実施の形態に示す構成としてもよい。
【００４５】
この他の実施の形態では、第１数表示13が第１側板４の前端部（端板８側の端部）に設けられるとともに第２数表示14が第２側板６の後端部（端板８側とは反対側の端部）に設けられ、これら数表示13，14を含むカット数表示16，17の向きが底板３の短辺方向に一致している。
【００４６】
また、各第１カット用目印11に対応して設けられた第１カット数表示16は、底板３の長辺方向一端側（後端側）から長辺方向他端側（前端側）に向かう方向に「０」から第１数である「８」まで１ずつ増加している。第２カット数表示17は、第１カット数表示16とは異なり、底板３の長辺方向他端側（前端側）から長辺方向一端側（後端側）に向かう方向に「０」から第２数である「６」まで１ずつ増加している。
【００４７】
そして、この構成にした場合、図５（ａ）および（ｂ）に示すように、右手で刃物26を持ってケーキ２をカッティングする際に、第１カット用目印11および第２カット用目印12のどちらを目安にする場合であっても、目安にする側の第１カット数表示16または第２カット数表示17がケーキ２よりも手前側に位置して見易く、カット数を確認しながらカッティングでき、使い勝手がより良好である。
【００４８】
なお、上記いずれの実施の形態においても、菓子は、ロールケーキには限定されず、例えばパウンドケーキ、フルーツケーキ、ミルフィーユ等の洋菓子でもよく、また和菓子でもよい。
【００４９】
また、ケーキ用台紙等の菓子用トレイは、紙製以外に、例えば合成樹脂等で構成されたものでもよく、また、載置台として機能するものには限定されず、菓子が出し入れ可能に収納される収納箱として機能するものでもよい。
【００５０】
さらに、第１数と第２数の組合せは、「８」と「６」には限定されず、互いに異なる数であれば任意であり、例えば菓子の長さによっては、「１０」と「８」、「１２」と「１０」等でもよい。
【００５１】
また、カット用目印11，12は、印刷された線表示等には限定されず、例えば孔、切欠き或いは切れ目等でもよい。
【００５２】
さらに、例えば端板８にもカット用目印を設けるようにしてもよく、また、例えば底板３の両短辺に端板を折り曲げ可能に設け、各端板に互いに異なる数のカット用目印を設けるようにしてもよい。
【００５３】
なお、収納箱21は、図２に示す端面に出し入れ口部22を有するもの以外に、側面に出し入れ口部を有するものもあり、この場合であっても、ケーキ用台紙１は第１側板４および第２側板６を有するため、これら第１側板４および第２側板６のいずれかを利用して、収納箱21内からケーキ２をケーキ用台紙１とともに容易に引き出すことができる。
【符号の説明】
【００５４】
１    菓子用トレイであるケーキ用台紙
２    菓子であるケーキ
３    底板
４    第１側板
６    第２側板
８    端板
11    第１カット用目印
12    第２カット用目印
13    第１数表示
14    第２数表示
16    第１カット数表示
17    第２カット数表示
【図１】
0003164820.tif 000003
【図２】
0003164820.tif 000004
【図３】
0003164820.tif 000005
【図４】
0003164820.tif 000006
【図５】
0003164820.tif 000007